(57)【要約】【課題】実装部品を取付部材へ取り付ける際の作業性を向上させることが目的である。【解決手段】取付部材２０は、第一取付部４０と、第二取付部４２と、板バネ４４とを有する。第一取付部４０は、補助記憶装置１００における一の側面１０６に形成された第一穴１１０に挿入される第一突起５２を有し、第二取付部４２は、補助記憶装置１００における一の側面１０６と反対側の他の側面１０８に形成された第二穴１１２に挿入される第二突起５４を有する。板バネ４４は、第一取付部４０及び第二取付部４２とは別に設けられ、第一取付部４０の側から第二取付部４２の側へ補助記憶装置１００を付勢する。【選択図】図６
2015185028.tif 000002
【特許請求の範囲】
【請求項１】
実装部品が取り付けられる取付部材を備え、
前記取付部材は、
前記実装部品における一の側面に形成された第一穴に挿入される第一突起を有する第一取付部と、
前記実装部品における前記一の側面と反対側の他の側面に形成された第二穴に挿入される第二突起を有する第二取付部と、
前記第一取付部及び前記第二取付部とは別に設けられ、前記第一取付部の側から前記第二取付部の側へ前記実装部品を付勢する付勢部と、
を有する、
電子機器。
【請求項２】
前記取付部材は、前記第一取付部を一対有し、
前記付勢部は、前記一対の第一取付部の間に設けられている、
請求項１に記載の電子機器。
【請求項３】
前記付勢部は、前記一対の第一取付部が並ぶ方向を長さ方向とする板バネである、
請求項２に記載の電子機器。
【請求項４】
前記板バネの長さ方向の長さは、前記第一取付部の高さ方向の長さ及び前記第二取付部の高さ方向の長さよりも長い、
請求項３に記載の電子機器。
【請求項５】
前記取付部材は、前記実装部品の底面と対向し、前記第一取付部及び前記第二取付部が立設された本体部を有し、
前記本体部には、前記実装部品の底面に形成されたネジ穴と整合する貫通穴が形成され、
前記本体部は、前記貫通穴に挿通されたネジが前記ネジ穴に螺入されることにより前記実装部品と固定される、
請求項１〜請求項４のいずれか一項に記載の電子機器。
【請求項６】
前記取付部材には、前記実装部品、及び、前記実装部品とは外形のサイズが異なる他の実装部品のうちのいずれかが選択的に取り付けられ、
前記取付部材は、
前記他の実装部品の底面と対向し、前記第一取付部及び前記第二取付部が立設された本体部と、
前記本体部から立設し、前記他の実装部品と固定される一対の側壁部と、
を有する、
請求項１〜請求項５のいずれか一項に記載の電子機器。
【請求項７】
前記取付部材は、前記一対の側壁部から前記他の実装部品の側に突出すると共に、前記第一取付部及び前記第二取付部よりも前記本体部からの高さが高い位置に形成され、前記他の実装部品の底面を支持する支持部を有する、
請求項６に記載の電子機器。
【請求項８】
前記本体部には、前記実装部品の底面に形成されたネジ穴と整合する第一貫通穴が形成され、
前記一対の側壁部には、前記他の実装部品の側面に形成されたネジ穴と整合する第二貫通穴が形成され、
前記一対の側壁部は、前記第二貫通穴に挿通されたネジが前記他の実装部品の前記ネジ穴に螺入されることにより前記他の実装部品と固定される、
請求項６又は請求項７に記載の電子機器。
【請求項９】
実装部品における一の側面に形成された第一穴に挿入される第一突起を有する第一取付部と、
前記実装部品における前記一の側面と反対側の他の側面に形成された第二穴に挿入される第二突起を有する第二取付部と、
前記第一取付部及び前記第二取付部とは別に設けられ、前記第一取付部の側から前記第二取付部の側へ前記実装部品を付勢する付勢部と、
を有する取付部材。
【発明の詳細な説明】
【技術分野】
【０００１】
本願の開示する技術は、電子機器及び取付部材に関する。
【背景技術】
【０００２】
実装部品が取り付けられる取付部材としては、例えば、次のものがある。すなわち、弾性を有する一対の取付部と、この一対の取付部に形成された突起とを有する取付部材がある（例えば、特許文献１参照）。この取付部材への実装部品の取付作業では、一対の取付部が拡がる方向に弾性変形された状態で、一対の取付部の間に実装部品が配置される。その後、一対の取付部の弾性変形が戻されて、実装部品の穴に突起が挿入され、実装部品が取付部材に取り付けられる。
【先行技術文献】
【特許文献】
【０００３】
【特許文献１】特開２０００−７６８３７号公報
【特許文献２】特開２０００−７５９５８号公報
【特許文献３】特開２０１２−２４８１７６号公報
【発明の概要】
【発明が解決しようとする課題】
【０００４】
しかしながら、上述の取付部材を用いる場合には、実装部品を取付部材に取り付ける際に突起が形成された取付部を弾性変形させる必要がある。このように突起が形成された取付部が弾性変形されると、突起の位置が変位するため、実装部品に形成された穴への突起の挿入、ひいては、実装部品の取付部材への取付作業がしにくくなる虞がある。
【０００５】
そこで、本願の開示する技術は、一つの側面として、実装部品を取付部材へ取り付ける際の作業性を向上させることを目的とする。
【課題を解決するための手段】
【０００６】
上記目的を達成するために、本願の開示する技術によれば、第一取付部と、第二取付部と、付勢部とを有する取付部材が提供される。第一取付部は、実装部品における一の側面に形成された第一穴に挿入される第一突起を有し、第二取付部は、実装部品における一の側面と反対側の他の側面に形成された第二穴に挿入される第二突起を有する。付勢部は、第一取付部及び第二取付部とは別に設けられ、第一取付部の側から第二取付部の側へ実装部品を付勢する。
【発明の効果】
【０００７】
本願の開示する技術によれば、実装部品を取付部材へ取り付ける際の作業性を向上させることができる。
【図面の簡単な説明】
【０００８】
【図１】電子機器の斜視図である。
【図２】取付部材の斜視図である。
【図３】第一取付部及び第二取付部の正面図である。
【図４】板バネの平面図である。
【図５】取付部材を縦方向から見た断面図である。
【図６】２．５インチの補助記憶装置が取付部材に取り付けられる過程を示す斜視図である。
【図７】図６のＡ部の拡大図である。
【図８】２．５インチの補助記憶装置が取付部材に取り付けられる過程を示す斜視図である。
【図９】図８のＢ部の拡大図である。
【図１０】２．５インチの補助記憶装置が取付部材に取り付けられる過程を示す斜視図である。
【図１１】図１０のＦ１１−Ｆ１１線断面図である。
【図１２】２．５インチの補助記憶装置が取付部材に取り付けられる過程を示す断面図である。
【図１３】３．５インチの補助記憶装置が取付部材に取り付けられた状態を示す斜視図である。
【図１４】図１２に示される３．５インチの補助記憶装置及び取付部材を取付部材の縦方向から見た正面図である。
【発明を実施するための形態】
【０００９】
以下、本願の開示する技術の一実施形態を説明する。
【００１０】
図１に示される電子機器１０は、一例として、デスクトップ型のパーソナルコンピュータであり、回路基板１２と、複数の装置１４，１６と、筐体１８と、取付部材２０とを備える。
【００１１】
筐体１８は、板金製であり、本体部材２２と、回動部材２４とを有する。本体部材２２には、回路基板１２が実装されると共に、電源装置や送風装置などの複数の装置１４，１６が実装される。回動部材２４は、本体部材２２に対して回動可能に支持される。この回動部材２４には、光ディスクを読み取る読取装置２６が実装される。回動部材２４は、本体部材２２に対して倒伏された状態と起立された状態とを取り得る。図１では、回動部材２４が起立された状態で示されている。
【００１２】
取付部材２０は、一例として回動部材２４に取り付けられる。この取付部材２０には、後述する如く、２．５インチの補助記憶装置１００（図６〜図１２参照）、及び、３．５インチの補助記憶装置１２０（図１３，図１４）のうちのいずれかが選択的に取り付けられる。この２．５インチの補助記憶装置１００及び３．５インチの補助記憶装置１２０は、例えば、ＨＤＤ（Hard Disk Drive）である。なお、２．５インチの補助記憶装置１００として、ＳＳＤ（Solid State Drive）が用いられても良い。２．５インチの補助記憶装置１００は、実装部品の一例であり、３．５インチの補助記憶装置１２０は、他の実装部品の一例である。
【００１３】
取付部材２０は、一例として板金製であり、図２に示されるように、本体部３０と、一対の側壁部３２，３４とを有する。なお、以下の取付部材２０の説明では、便宜上、Ｘ方向を取付部材２０の横方向とし、Ｙ方向を取付部材２０の縦方向とし、Ｚ方向を取付部材２０の高さ方向とする。
【００１４】
本体部３０は、平面視にて矩形状に形成されており、複数の膨出部３６，３８と、一対の第一取付部４０と、一対の第二取付部４２と、板バネ４４と、位置決め部４６とを有する。
【００１５】
複数の膨出部３６，３８は、本体部３０の四隅に形成されている。一方の膨出部３６と他方の膨出部３８とは、取付部材２０の横方向に離間されている。また、一対の膨出部３６の一方と他方とは、取付部材２０の縦方向に離間されており、一対の膨出部３８の一方と他方とは、取付部材２０の縦方向に離間されている。一対の膨出部３６の一方と他方とは、略同一形状であり、一対の膨出部３８の一方と他方とは、略同一形状である。また、図３に示されるように、一方の膨出部３６の膨出高さｈ１と他方の膨出部３８の膨出高さｈ２とは、略同一である。
【００１６】
図２に示されるように、一方の膨出部３６の高さ方向の上端部３６Ａには、この膨出部３６の高さ方向に貫通する第一貫通穴４８が形成されている。同様に、他方の膨出部３８の高さ方向の上端部３８Ａには、この膨出部３８の高さ方向に貫通する第一貫通穴５０が形成されている。
【００１７】
第一取付部４０は、一方の膨出部３６の高さ方向の上端部３６Ａから立設されており、第二取付部４２は、他方の膨出部３８の高さ方向の上端部３８Ａから立設されている。一対の第一取付部４０の一方と他方とは、取付部材２０の横方向における略同一の位置に形成されており、一対の第二取付部４２の一方と他方とは、取付部材２０の横方向における略同一の位置に形成されている。また、一対の第一取付部４０の一方と他方とは、略同一形状であり、一対の第二取付部４２の一方と他方とは、略同一形状である。
【００１８】
第一取付部４０は、より具体的には、一方の膨出部３６の高さ方向の上端部３６Ａにおける他方の膨出部３８と反対側の縁部から立設されている。一方、第二取付部４２は、より具体的には、他方の膨出部３８の高さ方向の上端部３８Ａにおける一方の膨出部３６と反対側の縁部から立設されている。この第一取付部４０及び第二取付部４２は、取付部材２０の横方向を板厚方向とする壁状に形成されている。
【００１９】
第一取付部４０の高さ方向の上端部には、第二取付部４２の側に向けて突出する第一突起５２が形成されている。一方、第二取付部４２の高さ方向の上端部には、第一取付部４０の側に向けて突出する第二突起５４が形成されている。
【００２０】
図３に示されるように、第一突起５２は、第二取付部４２の側に向けて延びるピン状に形成されており、第二突起５４は、第一取付部４０の側に向けて張り出すドーム状に形成されている。一方の膨出部３６の高さ方向の上端部３６Ａから第一突起５２の中心軸までの高さｈ３は、他方の膨出部３８の高さ方向の上端部３８Ａから第二突起５４の中心軸までの高さｈ４と略同一である。つまり、第一突起５２及び第二突起５４は、いずれも取付部材２０の高さ方向における略同一の高さに形成されている。また、第一取付部４０に対する第一突起５２の突出長さＡ１は、第二取付部４２に対する第二突起５４の突出長さＡ２よりも長い。
【００２１】
第二取付部４２の高さ方向の上部には、第一取付部４０と反対側に曲折された折曲部５６が形成されている。この折曲部５６は、第二取付部４２の高さ方向の下端部側から上端部側に向かうに従って第一取付部４０と反対側に向かうように取付部材２０の高さ方向に対して傾斜されている。
【００２２】
図２に示されるように、板バネ４４は、第一取付部４０及び第二取付部４２とは別に設けられている。この板バネ４４は、付勢部の一例であり、一例として、一対の第一取付部４０の間に設けられている。この板バネ４４は、取付部材２０の縦方向を長さ方向とすると共に取付部材２０の高さ方向を幅方向とする長尺板状に形成されている。
【００２３】
また、この板バネ４４は、一方の第一取付部４０側（奥側）に位置する端部が固定端４４Ａとされ、他方の第一取付部４０側（手前側）に位置する端部が自由端４４Ｂとされている。板バネ４４の固定端４４Ａと自由端４４Ｂとの間の腕部４４Ｃは、固定端４４Ａ側から自由端４４Ｂ側に向かうに従って第二取付部４２の側に向かうにように取付部材２０の縦方向に対して傾斜している。一方、板バネ４４の固定端４４Ａ及び自由端４４Ｂは、腕部４４Ｃに対して屈曲されており、取付部材２０の縦方向に沿って直線状に延びている。
【００２４】
この板バネ４４は、取付部材２０の横方向への荷重が自由端４４Ｂに作用した場合には、取付部材２０の横方向に弾性変形する。板バネ４４の自由端４４Ｂは、この板バネ４４が自由状態にあるときには、第一取付部４０よりも第二取付部４２の側に位置される。
【００２５】
また、上述の板バネ４４の長さ方向の長さ、第一取付部４０の高さ方向の長さ、及び、第二取付部４２の高さ方向の長さは、次のように設定されている。つまり、図３に示されるように、膨出部３６の上端部３６Ａ及び膨出部３８の上端部３８Ａを基準にした場合に、第一取付部４０の高さ方向の長さは長さＬ１であり、第二取付部４２の高さ方向の長さは長さＬ２である。また、図４に示されるように、板バネ４４の長さ方向の長さは長さＬ３である。このように長さＬ１〜Ｌ３を規定した場合、長さＬ３は、長さＬ１，Ｌ２よりも長い。なお、長さＬ１と長さＬ２は、略同一である。
【００２６】
図２に示されるように、位置決め部４６は、第一取付部４０及び第二取付部４２の対向方向である取付部材２０の横方向に沿って延びる壁状に形成されており、本体部３０から立設されている。この位置決め部４６は、取付部材２０の横方向における第一取付部４０と第二取付部４２との間に位置されている。また、この位置決め部４６は、一対の第一取付部４０及び一対の第二取付部４２に対して取付部材２０の縦方向の一方側（奥側）に位置されている。
【００２７】
一対の側壁部３２，３４は、第一取付部４０及び第二取付部４２と同様に、取付部材２０の横方向に対向して形成されている。この一対の側壁部３２，３４は、取付部材２０の横方向を板厚方向とすると共に取付部材２０の縦方向に沿って延びる矩形壁状に形成されており、本体部３０における横方向の端部から立設されている。
【００２８】
一方の側壁部３２には、他方の側壁部３４側に向けて延びる一対の支持部５８（図８も参照）が形成されており、他方の側壁部３４には、一方の側壁部３２側に向けて延びる一対の支持部６０が形成されている。この複数の支持部５８，６０は、いずれも取付部材２０の高さ方向を板厚方向とする舌片状に形成されており、互いに略同一形状である。この複数の支持部５８，６０は、いずれも取付部材２０の高さ方向における略同一の高さに形成されている。
【００２９】
また、上述の複数の支持部５８，６０、第一取付部４０、及び、第二取付部４２における取付部材２０の高さ方向の位置は、次のように設定されている。つまり、図５に示されるように、一方の膨出部３６の高さ方向の上端部３６Ａから第一取付部４０の上端部までの高さはＨ１であり、他方の膨出部３８の高さ方向の上端部３８Ａから第二取付部４２の上端部までの高さはＨ２である。また、一方の膨出部３６の高さ方向の上端部３６Ａから支持部５８の上面までの高さはＨ３であり、他方の膨出部３８の高さ方向の上端部３８Ａから支持部６０の上面までの高さはＨ４である。このように高さＨ１〜Ｈ４を規定した場合、高さＨ３，Ｈ４は、高さＨ１，Ｈ２よりも高い。このように、複数の支持部５８，６０は、第一取付部４０及び第二取付部４２よりも本体部３０（複数の膨出部３６，３８）からの高さが高い位置に形成されている。
【００３０】
また、図２に示されるように、一方の側壁部３２には、一対の第二貫通穴６２が形成され、他方の側壁部３４には、一対の第二貫通穴６４が形成されている。一対の第二貫通穴６２は、取付部材２０の縦方向に離間されており、同様に、一対の第二貫通穴６４は、取付部材２０の縦方向に離間されている。この複数の第二貫通穴６２，６４は、いずれも取付部材２０の高さ方向における略同一の高さに形成されている。また、他方の側壁部３４には、弾性片６６が形成されている。この弾性片６６は、側壁部３４の高さ方向の上側に固定端を有し、側壁部３４の高さ方向の下側に自由端を有する。他方の第二貫通穴６４は、より具体的には、この弾性片６６の自由端側の部分に形成されている。
【００３１】
なお、上述の取付部材２０に形成された各構造のうち、複数の膨出部３６，３８、第一貫通穴４８，５０、第一取付部４０、第二取付部４２、第一突起５２、及び、第二突起５４は、後述する２．５インチの補助記憶装置１００を取り付けるためのものである。一方、上述の取付部材２０に形成された各構造のうち、一対の側壁部３２，３４、複数の支持部５８，６０、及び、複数の第二貫通穴６２，６４は、後述する３．５インチの補助記憶装置１２０を取り付けるためのものである。
【００３２】
次に、２．５インチの補助記憶装置１００を取付部材２０に取り付ける方法、及び、２．５インチの補助記憶装置１００との関係における取付部材２０の構造の詳細について説明する。
【００３３】
図６〜図１２に示される２．５インチの補助記憶装置１００は、一例として、作業者による手作業により取付部材２０に取り付けられる。この補助記憶装置１００の取付部材２０への取付作業では、先ず、図６に示されるように、第一取付部４０及び第二取付部４２が本体部３０から鉛直方向上側に向けて立設する状態で取付部材２０が作業台の上に置かれる。また、作業者が右利きであり右手で補助記憶装置１００を持って作業する場合には、図６に示される如く作業者から見て左側に板バネ４４が位置するように取付部材２０が配置されることが好ましい。
【００３４】
そして、この取付部材２０の内側に２．５インチの補助記憶装置１００が挿入される。このとき、補助記憶装置１００の天面１０２及び底面１０４のうち底面１０４側が本体部３０側とされると共に、補助記憶装置１００のコネクタ１０５が位置する側が手前側（作業者側）とされる。また、一の側面１０６側が他の側面１０８側よりも鉛直方向下側に位置するように補助記憶装置１００が傾けられた状態で、補助記憶装置１００の底面１０４における一方側の側端部１０４Ａが一方の膨出部３６の上端部３６Ａに載置される（図７も参照）。
【００３５】
続いて、補助記憶装置１００の底面１０４における一方側の側端部１０４Ａを一方の膨出部３６の上端部３６Ａの上において滑らせながら、補助記憶装置１００が第一取付部４０の側にスライドされる。板バネ４４の自由端４４Ｂは、上述のように、板バネ４４が自由状態にあるときには、第一取付部４０よりも第二取付部４２の側に位置される。従って、補助記憶装置１００が第一取付部４０の側にスライドされると、補助記憶装置１００における一の側面１０６が第一取付部４０よりも先に板バネ４４の自由端４４Ｂに接触する。そして、一の側面１０６が板バネ４４の自由端４４Ｂに接触した状態で、この板バネ４４の弾性力に抗して補助記憶装置１００が第一取付部４０の側にさらにスライドされる。
【００３６】
ここで、一対の第一突起５２は、一の側面１０６に形成された一対の第一穴１１０とそれぞれ対応する位置に形成されている。つまり、一対の第一突起５２の中心軸の間隔は、一対の第一穴１１０の中心軸の間隔と略同一である。また、一方の膨出部３６の高さ方向の上端部３６Ａから第一突起５２の中心軸までの高さは、補助記憶装置１００の底面１０４から第一穴１１０の中心軸までの高さと略同一である。しかも、各第一突起５２は、第一穴１１０の内径よりも細く形成されている。このため、補助記憶装置１００が第一取付部４０の側にスライドされると、第一突起５２は、第一穴１１０に遊挿される。なお、第一穴１１０は、ネジ穴であり、補助記憶装置１００の規格により、その位置が規定されている。
【００３７】
また、このようにして第一突起５２が第一穴１１０に遊挿される際には、補助記憶装置１００における一の側面１０６と他の側面１０８とを繋ぐ側面１０７（コネクタ１０５と反対側の面）が位置決め部４６に当接される。位置決め部４６は、位置決め部４６に補助記憶装置１００の側面１０７が当接した状態において一対の第一突起５２が一対の第一穴１１０と整合するように、取付部材２０の縦方向における位置が設定されている。そして、この位置決め部４６に側面１０７が当接されて補助記憶装置１００が取付部材２０の縦方向に位置決めされることで、一対の第一突起５２が一対の第一穴１１０と整合し、第一突起５２が第一穴１１０に円滑に遊挿される。
【００３８】
続いて、補助記憶装置１００が第一取付部４０の側にさらにスライドされると、図８に示されるように、一の側面１０６が第一取付部４０に当接される。また、上述のように第一突起５２は第一穴１１０（図７参照）に遊挿されるため、第一突起５２と第一穴１１０の内周面との間には隙間が形成される。このため、図６の状態から図８の状態に示されるように、底面１０４における一方側の側端部１０４Ａを支点として補助記憶装置１００を傾斜位置から水平位置へ回動することが可能となる。そして、補助記憶装置１００が傾斜位置から水平位置へ回動されることにより、補助記憶装置１００の底面１０４における他方側の側端部１０４Ｂが他方の膨出部３８の上端部３８Ａに載置される（図９も参照）。
【００３９】
このとき、第二取付部４２の高さ方向の上部には、上述の如く第一取付部４０と反対側に曲折された折曲部５６が形成されている。このため、補助記憶装置１００が一方側の側端部１０４Ａを支点として傾斜位置から水平位置へ回動された場合でも、補助記憶装置１００の底面１０４における他方側の側端部１０４Ｂが第二取付部４２の高さ方向の上部と干渉することが抑制される。
【００４０】
さらに、第二突起５４は、上述の如く第二取付部４２から張り出すドーム形状とされている。このため、補助記憶装置１００が底面１０４における一方側の側端部１０４Ａを支点として傾斜位置から水平位置へ回動される際に、他方側の側端部１０４Ｂが第二突起５４に接触しても、この他方側の側端部１０４Ｂが第二突起５４を容易に乗り越えられる。そして、このように第二取付部４２に折曲部５６が形成されると共に第二突起５４がドーム形状とされることにより、補助記憶装置１００が円滑に回動され、他方側の側端部１０４Ｂが他方の膨出部３８の上端部３８Ａに円滑に載置される。
【００４１】
また、図８に示される如く、上述のように補助記憶装置１００が第一取付部４０の側にスライドされて一の側面１０６が第一取付部４０に当接された状態では、板バネ４４が補助記憶装置１００に押圧されて変形する。このとき、板バネ４４は、自由端４４Ｂが取付部材２０の横方向に第一取付部４０と並ぶ位置まで補助記憶装置１００に押圧されて変形する間は弾性変形されるように（塑性変形しないように）、その板厚や長さや材料等が設定されている。そして、これにより、一の側面１０６が第一取付部４０に当接されるまで補助記憶装置１００が第一取付部４０の側にスライドされているときの板バネ４４の変形状態は、弾性変形とされる。
【００４２】
また、第一取付部４０と第二取付部４２との間の間隔は、補助記憶装置１００の横方向の長さよりも若干長く設定されている。そして、補助記憶装置１００が第一取付部４０の側にスライドされて一の側面１０６が第一取付部４０に当接された状態では、図９に示される如く第二突起５４と他の側面１０８との間に隙間７０が形成される。また、補助記憶装置１００が第一取付部４０の側にスライドされて一の側面１０６が第一取付部４０に当接された状態（図８参照）での第二取付部４２と他の側面１０８との間の隙間７２の幅は、図８に示される第一突起５２の突出長さよりも短く設定されている。
【００４３】
そして、一の側面１０６が第一取付部４０に当接された状態から作業者による補助記憶装置１００への荷重が解除されると、図８に示される板バネ４４によって補助記憶装置１００が第一取付部４０の側から第二取付部４２の側へ付勢される。また、板バネ４４によって補助記憶装置１００が第一取付部４０の側から第二取付部４２の側へ付勢されることで、図１０に示される如く補助記憶装置１００が第二取付部４２の側へスライドされる。
【００４４】
ここで、図８に示される一対の第二突起５４は、他の側面１０８に形成された一対の第二穴１１２とそれぞれ対応する位置に形成されている。つまり、一対の第二突起５４の中心軸の間隔は、一対の第二穴１１２の中心軸の間隔と略同一である。また、他方の膨出部３８の高さ方向の上端部３８Ａから第二突起５４の中心軸までの高さは、補助記憶装置１００の底面１０４から第二穴１１２の中心軸までの高さと略同一である。このため、補助記憶装置１００が第二取付部４２の側にスライドされると、各第二突起５４は、第二穴１１２に挿入される。第二穴１１２は、第一穴１１０と同様に、ネジ穴であり、補助記憶装置１００の規格により、その位置が規定されている。
【００４５】
そして、上述のように補助記憶装置１００が第二取付部４２の側にスライドされると、図１０に示されるように、他の側面１０８が第二取付部４２に当接される。また、このときの補助記憶装置１００のスライド量は、上述の一の側面１０６が第一取付部４０に当接された状態における第二取付部４２と他の側面１０８との間の隙間７２（図９参照）の幅に相当する。
【００４６】
ここで、この隙間７２の幅は、第一突起５２の突出長さよりも短く設定されている。つまり、換言すれば、第一突起５２の突出長さは、上述の補助記憶装置１００のスライド量に相当する隙間７２の幅よりも長い。このため、上述の隙間７２の分、補助記憶装置１００が第二取付部４２の側にスライドされても、図１１に示される如く第一突起５２が第一穴１１０に挿入された状態に維持される。
【００４７】
そして、以上のようにして補助記憶装置１００が取付部材２０に取り付けられた状態（仮組付された状態）では、本体部３０が補助記憶装置１００の底面１０４と対向する。また、第一取付部４０及び第二取付部４２は、補助記憶装置１００の両側の側方に位置する。さらに、複数の膨出部３６は、直方体状に形成された補助記憶装置１００の四隅に位置すると共に補助記憶装置１００の側に膨出し、補助記憶装置１００の底面１０４を支持する。
【００４８】
また、本体部３０に形成された複数の第一貫通穴４８，５０は、補助記憶装置１００の底面１０４に形成された複数のネジ穴１１４と整合する。そして、図１２に示されるように、本体部３０が補助記憶装置１００の鉛直方向上側に位置するように取付部材２０が裏返しされる。また、この状態で、本体部３０に対する補助記憶装置１００と反対側から各第一貫通穴４８，５０にネジ１１６が挿通されると共に、このネジ１１６が各ネジ穴１１４に螺入され、本体部３０が補助記憶装置１００と固定される。
【００４９】
以上の要領で、２．５インチの補助記憶装置１００が取付部材２０に取り付けられる。この補助記憶装置１００が取り付けられた取付部材２０は、図１に示される電子機器１０に設けられた筐体１８（回動部材２４）に取り付けられる。
【００５０】
次に、３．５インチの補助記憶装置１２０を取付部材２０に取り付ける方法、及び、３．５インチの補助記憶装置１２０との関係における取付部材２０の構造の詳細について説明する。
【００５１】
図１３，図１４に示される３．５インチの補助記憶装置１２０は、上述の２．５インチの補助記憶装置１００（図６〜図１２参照）に対して外形のサイズが異なる。一対の側壁部３２，３４の間隔は、３．５インチの補助記憶装置１２０の横方向の長さと略同一である。この一対の側壁部３２，３４の間には、３．５インチの補助記憶装置１２０が挿入される。このとき、補助記憶装置１２０の天面１２２及び底面１２４のうち底面１２４側が本体部３０側とされる。一対の側壁部３２，３４の間に補助記憶装置１２０が挿入されると、図１４に示されるように、一対の側壁部３２，３４から補助記憶装置１２０の側に突出する複数の支持部５８，６０（図２も参照）によって補助記憶装置１２０の底面１２４が支持される。
【００５２】
そして、以上のようにして補助記憶装置１２０が取付部材２０に取り付けられた状態（仮組付された状態）では、本体部３０が補助記憶装置１２０の底面１２４と対向する。また、一対の側壁部３２，３４は、補助記憶装置１２０の両側の側方に位置する。さらに、複数の支持部５８，６０は、直方体状に形成された補助記憶装置１２０の四隅に位置する。この複数の支持部５８，６０は、上述のように第一取付部４０及び第二取付部４２よりも本体部３０からの高さが高い位置に形成されている。また、複数の支持部５８，６０は、位置決め部４６に対しても本体部３０からの高さが高い位置に形成されている。このため、補助記憶装置１２０の底面１２４が複数の支持部５８，６０によって支持される場合でも、補助記憶装置１２０の底面１２４と、第一取付部４０、第二取付部４２、位置決め部４６との間には、隙間が確保される。
【００５３】
また、補助記憶装置１２０の両側面には、複数のネジ穴１２６，１２８が形成されている。そして、複数の支持部５８，６０によって底面１２４が支持された状態で補助記憶装置１２０が取付部材２０の縦方向の正規の位置に位置されると、複数の第二貫通穴６２，６４が複数のネジ穴１２６，１２８と整合する。
【００５４】
つまり、一方の側壁部３２に形成された一対の第二貫通穴６２の中心軸の間隔は、補助記憶装置１２０の一方の側面に形成された一対のネジ穴１２６の中心軸の間隔と略同一である。同様に、他方の側壁部３４に形成された一対の第二貫通穴６４の中心軸の間隔は、補助記憶装置１２０の他方の側面に形成された一対のネジ穴１２８の中心軸の間隔と略同一である。また、一方の側壁部３２に形成された支持部５８の上面から第二貫通穴６２の中心軸までの高さは、補助記憶装置１２０の底面１２４からネジ穴１２６の中心軸までの高さと略同一である。同様に、他方の側壁部３４に形成された支持部６０の上面から第二貫通穴６４の中心軸までの高さは、補助記憶装置１２０の底面１２４からネジ穴１２８の中心軸までの高さと略同一である。
【００５５】
そして、上述のように複数の第二貫通穴６２，６４が複数のネジ穴１２６，１２８と整合された状態で、各側壁部３２，３４に対する補助記憶装置１２０と反対側から各第二貫通穴６２，６４にネジ１３０が挿通される。また、このネジ１３０が各ネジ穴１２６，１２８に螺入され、これにより、一対の側壁部３２，３４が補助記憶装置１２０と固定される。
【００５６】
以上の要領で、３．５インチの補助記憶装置１２０が取付部材２０に取り付けられる。この補助記憶装置１２０が取り付けられた取付部材２０は、図１に示される電子機器１０に設けられた筐体１８（回動部材２４）に取り付けられる。
【００５７】
このように、取付部材２０には、２．５インチの補助記憶装置１００と、この補助記憶装置１２０とは外形のサイズが異なる３．５インチの補助記憶装置１２０のうちのいずれかを選択的に取り付けることが可能である。なお、電子機器１０は、２．５インチの補助記憶装置１００及び３．５インチの補助記憶装置１２０のいずれか一方を標準装備品として備えていても良い。また、電子機器１０において、２．５インチの補助記憶装置１００及び３．５インチの補助記憶装置１２０は、オプション品とされていても良い。
【００５８】
次に、本実施形態の作用及び効果について説明する。
【００５９】
以上詳述したように、取付部材２０は、２．５インチの補助記憶装置１００を取り付けるための構造と、この補助記憶装置１２０とは外形のサイズが異なる３．５インチの補助記憶装置１２０を取り付けるための構造とを有する。つまり、図２に示されるように、取付部材２０は、２．５インチの補助記憶装置１００を取り付けるための構造として、複数の膨出部３６，３８、第一貫通穴４８，５０、第一取付部４０、第二取付部４２、第一突起５２、及び、第二突起５４を有する。また、取付部材２０は、３．５インチの補助記憶装置１２０を取り付けるための構造として、一対の側壁部３２，３４、複数の支持部５８，６０、及び、複数の第二貫通穴６２，６４を有する。
【００６０】
そして、これらの構造により、取付部材２０には、２．５インチの補助記憶装置１００と３．５インチの補助記憶装置１２０のうちのいずれかを選択的に取り付けることが可能である。従って、例えば３．５インチの補助記憶装置１２０を搭載する電子機器１０に２．５インチの補助記憶装置１００を入れ替えて搭載する場合でも、２．５インチの補助記憶装置１００を取付部材２０に取り付けるための変換ブラケットを不要にできる。また、この変換ブラケットを取付部材２０に取り付けるためのネジも不要にできる。これにより、部品点数を削減できるので、低コスト化できると共に、組立工数を低減できる。
【００６１】
また、取付部材２０は、２．５インチの補助記憶装置１００を取り付けるための構造として、第一取付部４０及び第二取付部４２から突出する第一突起５２及び第二突起５４を有する。この第一突起５２及び第二突起５４は、補助記憶装置１００の側面１０６，１０８に形成された第一穴１１０及び第二穴１１２にそれぞれ挿入される（図１１参照）。また、取付部材２０には、板バネ４４が形成されており、この板バネ４４は、第一取付部４０の側から第二取付部４２の側へ補助記憶装置１００を付勢する。従って、板バネ４４の付勢力により補助記憶装置１００を第二取付部４２の側へ片寄らせることができるので、第一突起５２及び第二突起５４を第一穴１１０及び第二穴１１２にそれぞれ挿入した状態に維持できる。
【００６２】
これにより、補助記憶装置１００の底面１０４に形成された複数のネジ穴１１４にネジ１１６を螺入する際に、図１２に示される如く取付部材２０が裏返しされた場合でも、補助記憶装置１００の取付部材２０からの脱落を抑制できる。このため、補助記憶装置１００の取付部材２０からの脱落を防止するために補助記憶装置１００の天面１０２を手で押さえることを不要にできる。また、補助記憶装置１００の取付部材２０からの脱落を防止するために作業台と補助記憶装置１００との間に配置するスペーサも不要にできる。この結果、電子機器１０の量産性及び保守性を向上させることができる。
【００６３】
しかも、取付部材２０が裏返しされた場合でも補助記憶装置１００の取付部材２０からの脱落を防止するための構造として、補助記憶装置１００の天面１０２を押える構造の代わりに、第一突起５２及び第二突起５４が用いられている。この第一突起５２及び第二突起５４は、第一取付部４０及び第二取付部４２から補助記憶装置１００の側に突出し、この補助記憶装置１００の側面１０６，１０８に形成された第一穴１１０及び第二穴１１２に挿入される。従って、補助記憶装置１００の天面１０２を押さえる構造が取付部材２０に設けられた場合と比べて、２．５インチの補助記憶装置１００の厚みが制限されることを抑制できる。これにより、種々の厚みの２．５インチの補助記憶装置１００を取付部材２０に取り付けることができる。
【００６４】
また、取付部材２０への補助記憶装置１００の取付時には、第一突起５２が第一穴１１０に挿入されると共に、板バネ４４の弾性力に抗して補助記憶装置１００が第一取付部４０の側にスライドされて一の側面１０６が第一取付部４０に当接される（図８参照）。また、この状態から作業者による補助記憶装置１００への荷重が解除されると、板バネ４４の付勢力によって補助記憶装置１００が第二取付部４２の側へスライドされ、第二突起５４が第二穴１１２に挿入される（図１１参照）。
【００６５】
ここで、この板バネ４４は、第一取付部４０及び第二取付部４２とは別に設けられている。従って、第一取付部４０及び第二取付部４２が板バネとしての機能を有する場合に比べて、第一突起５２及び第二突起５４の位置が変わらないため、第一突起５２及び第二突起５４を第一穴１１０及び第二穴１１２に容易に挿入できる。これにより、補助記憶装置１００を取付部材２０へ取り付ける際の作業性を向上させることができる。
【００６６】
しかも、板バネ４４が第一取付部４０及び第二取付部４２とは別に設けられることにより、板バネ４４の長さを容易に長くすることができる。従って、板バネ４４の長さを長くすることにより、板バネ４４の弾性力に抗して補助記憶装置１００を第一取付部４０の側にスライドさせる際の負荷を軽減することができる。これにより、補助記憶装置１００を取付部材２０へ取り付ける際の作業性をより向上させることができる。
【００６７】
また、図２に示されるように、取付部材２０は、一対の第一取付部４０を有し、板バネ４４は、この一対の第一取付部４０の間に設けられている。従って、例えば一対の第一取付部４０の間ではなく外側に板バネ４４が設けられた場合に比して、一対の第一取付部４０が並ぶ方向（取付部材２０の縦方向）に取付部材２０を小型化しつつ、板バネ４４の長さを長く確保することができる。しかも、板バネ４４は、一対の第一取付部４０が並ぶ方向を長さ方向とする。従って、例えば板バネ４４が取付部材２０の高さ方向を長さ方向とする場合に比して、板バネ４４の長さを長く確保しつつ、取付部材２０を高さ方向にも小型化することができる。
【００６８】
さらに、板バネ４４の長さ方向の長さは、第一取付部４０の高さ方向の長さ及び第二取付部４２の高さ方向の長さよりも長い。従って、第一取付部４０の高さ方向の長さ及び第二取付部４２の高さ方向の長さを抑えることで、取付部材２０を高さ方向に小型化しつつ、板バネ４４の長さを長く確保することで、補助記憶装置１００に対する付勢力を確保できる。
【００６９】
また、２．５インチの補助記憶装置１００を取付部材２０へ取り付ける際に、作業者が右利きであり右手で補助記憶装置１００を持って作業することを想定し、板バネ４４は、次のように配置されている。すなわち、図６に示されるように、第一取付部４０及び第二取付部４２が本体部３０から鉛直方向上側に向けて立設する状態で実装部品のコネクタ１０５が位置する側を手前側として取付部材２０を見た場合に、板バネ４４は、取付部材２０の左側に位置する。従って、作業者が右利きであり右手で補助記憶装置１００を持って作業する場合には、板バネ４４が右手で隠れることを抑制できるので、このことによっても、補助記憶装置１００を取付部材２０へ取り付ける際の作業性を向上させることができる。
【００７０】
また、図１４に示されるように、取付部材２０には、一対の側壁部３２，３４が形成されており、この一対の側壁部３２，３４には、３．５インチの補助記憶装置１２０の底面１２４を支持する複数の支持部５８，６０が形成されている（図２も参照）。この複数の支持部５８，６０は、２．５インチの補助記憶装置１００を取り付けるための第一取付部４０及び第二取付部４２よりも本体部３０からの高さが高い位置に形成されている。従って、補助記憶装置１２０が複数の支持部５８，６０によって支持されて取付部材２０に取り付けられる場合でも、補助記憶装置１２０の底面１２４と第一取付部４０及び第二取付部４２との間に隙間を確保できる。これにより、補助記憶装置１２０の底面１２４と第一取付部４０及び第二取付部４２との干渉を抑制することができる。
【００７１】
次に、本実施形態の変形例について説明する。
【００７２】
本実施形態では、２．５インチの補助記憶装置１００及び３．５インチの補助記憶装置１２０として、ＨＤＤ（Hard Disk Drive）やＳＳＤ（Solid State Drive）が好適に用いられる。しかしながら、取付部材２０には、ＨＤＤやＳＳＤ以外の実装部品が取り付けられても良い。また、互いに外形のサイズが異なる実装部品と他の実装部品とは、機能や種類等が異なっていても良い。
【００７３】
また、本実施形態では、好適な例として、電子機器１０がデスクトップ型のパーソナルコンピュータとされているが、電子機器１０は、デスクトップ型のパーソナルコンピュータ以外でも良い。
【００７４】
また、本実施形態では、付勢部の一例として、板バネ４４が用いられているが、板バネ４４以外の構造や部材が用いられても良い。また、本実施形態では、一つの板バネ４４が用いられるが、板バネ４４の数は、二つ以上でも良い。また、板バネ４４の位置は、取付部材２０の何処でも良い。
【００７５】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００７６】
なお、上述の本願の開示する技術の一態様に関し、更に以下の付記を開示する。
【００７７】
（付記１）
実装部品が取り付けられる取付部材を備え、
前記取付部材は、
前記実装部品における一の側面に形成された第一穴に挿入される第一突起を有する第一取付部と、
前記実装部品における前記一の側面と反対側の他の側面に形成された第二穴に挿入される第二突起を有する第二取付部と、
前記第一取付部及び前記第二取付部とは別に設けられ、前記第一取付部の側から前記第二取付部の側へ前記実装部品を付勢する付勢部と、
を有する、
電子機器。
（付記２）
前記取付部材は、前記第一取付部を一対有し、
前記付勢部は、前記一対の第一取付部の間に設けられている、
付記１に記載の電子機器。
（付記３）
前記付勢部は、前記一対の第一取付部が並ぶ方向を長さ方向とする板バネである、
付記２に記載の電子機器。
（付記４）
前記板バネは、前記一対の第一取付部のうち一方の第一取付部側に位置する端部が固定端とされ、前記一対の第一取付部のうち他方の第一取付部側に位置する端部が自由端とされている、
付記３に記載の電子機器。
（付記５）
前記板バネの自由端は、前記板バネが自由状態にあるときに前記第一取付部よりも前記第二取付部の側に位置される、
付記４に記載の電子機器。
（付記６）
前記板バネの長さ方向の長さは、前記第一取付部の高さ方向の長さ及び前記第二取付部の高さ方向の長さよりも長い、
付記１〜付記５のいずれか一項に記載の電子機器。
（付記７）
前記第一取付部及び前記第二取付部は、前記実装部品の両側の側方に位置し、
前記実装部品が前記第一取付部の側にスライドされて前記一の側面が前記第一取付部に当接された状態における前記付勢部の変形状態は、弾性変形である、
付記１〜付記６のいずれか一項に記載の電子機器。
（付記８）
前記取付部材は、前記実装部品の底面と対向し、前記第一取付部及び前記第二取付部が立設された本体部を有し、
前記第一取付部及び前記第二取付部が前記本体部から鉛直方向上側に向けて立設する状態で前記実装部品のコネクタが位置する側を手前側として前記取付部材を見た場合に、前記付勢部は、前記取付部材の左側に位置する、
付記１〜付記７のいずれか一項に記載の電子機器。
（付記９）
前記第一取付部及び前記第二取付部は、前記実装部品の両側の側方に位置し、
前記実装部品が前記第一取付部の側にスライドされて前記一の側面が前記第一取付部に当接された状態では、前記第二突起と前記他の側面との間に隙間が形成される、
付記１〜付記８のいずれか一項に記載の電子機器。
（付記１０）
前記付勢部に付勢されることで前記実装部品が前記第二取付部の側にスライドされた状態では、前記第一突起が前記第一穴に挿入された状態に維持される、
付記１〜付記９のいずれか一項に記載の電子機器。
（付記１１）
前記第一突起の突出長さは、前記実装部品が前記第一取付部の側にスライドされて前記一の側面が前記第一取付部に当接された状態における前記第二取付部と前記他の側面との間の隙間の幅よりも長い、
付記１〜付記１０のいずれか一項に記載の電子機器。
（付記１２）
前記第一突起は、前記第二突起よりも突出長さが長い、
付記１〜付記１１のいずれか一項に記載の電子機器。
（付記１３）
前記第一突起は、前記第一穴に遊挿される、
付記１〜付記１２のいずれか一項に記載の電子機器。
（付記１４）
前記第二突起は、前記第二取付部から張り出すドーム形状である、
付記１〜付記１３のいずれか一項に記載の電子機器。
（付記１５）
前記第二取付部の高さ方向の上部には、前記第一取付部と反対側に曲折された折曲部が形成されている、
付記１〜付記１４のいずれか一項に記載の電子機器。
（付記１６）
前記取付部材は、前記実装部品の底面と対向し、前記第一取付部及び前記第二取付部が立設された本体部を有し、
前記本体部には、前記実装部品の底面に形成されたネジ穴と整合する貫通穴が形成され、
前記本体部は、前記貫通穴に挿通されたネジが前記ネジ穴に螺入されることにより前記実装部品と固定される、
付記１〜付記１５のいずれか一項に記載の電子機器。
（付記１７）
前記本体部には、前記実装部品の側に膨出する複数の膨出部が形成され、
前記第一取付部及び前記第二取付部は、前記複数の膨出部の各々に立設されている、
付記１６に記載の電子機器。
（付記１８）
前記複数の膨出部は、直方体状に形成された前記実装部品における四隅に位置する、
付記１７に記載の電子機器。
（付記１９）
前記貫通穴は、前記複数の膨出部にそれぞれ形成されている、
付記１７又は付記１８に記載の電子機器。
（付記２０）
前記本体部は、前記実装部品における前記一の側面と前記他の側面とを繋ぐ側面と当接される位置決め部を有する、
付記１〜付記１９のいずれか一項に記載の電子機器。
（付記２１）
前記取付部材には、前記実装部品、及び、前記実装部品とは外形のサイズが異なる他の実装部品のうちのいずれかが選択的に取り付けられ、
前記取付部材は、
前記他の実装部品の底面と対向し、前記第一取付部及び前記第二取付部が立設された本体部と、
前記本体部から立設し、前記他の実装部品と固定される一対の側壁部と、
を有する、
付記１〜付記２０のいずれか一項に記載の電子機器。
（付記２２）
前記一対の側壁部は、前記他の実装部品の両側の側方に位置する、
付記２１に記載の電子機器。
（付記２３）
前記取付部材は、前記一対の側壁部から前記他の実装部品の側に突出すると共に、前記第一取付部及び前記第二取付部よりも前記本体部からの高さが高い位置に形成され、前記他の実装部品の底面を支持する支持部を有する、
付記２１又は付記２２に記載の電子機器。
（付記２４）
前記本体部には、前記実装部品の底面に形成されたネジ穴と整合する第一貫通穴が形成され、
前記一対の側壁部には、前記他の実装部品の側面に形成されたネジ穴と整合する第二貫通穴が形成され、
前記一対の側壁部は、前記第二貫通穴に挿通されたネジが前記他の実装部品の前記ネジ穴に螺入されることにより前記他の実装部品と固定される、
付記２１〜付記２３のいずれか一項に記載の電子機器。
（付記２５）
前記実装部品及び前記他の実装部品のいずれか一方を備える、
付記２１〜付記２４のいずれか一項に記載の電子機器。
（付記２６）
前記実装部品は、２．５インチの補助記憶装置である、
付記２５に記載の電子機器。
（付記２７）
前記他の実装部品は、３．５インチの補助記憶装置である、
付記２５又は付記２６に記載の電子機器。
（付記２８）
前記取付部材が取り付けられる筐体を備える、
付記１〜付記２７のいずれか一項に記載の電子機器。
（付記２９）
パーソナルコンピュータである、
付記１〜付記２８のいずれか一項に記載の電子機器。
（付記３０）
実装部品における一の側面に形成された第一穴に挿入される第一突起を有する第一取付部と、
前記実装部品における前記一の側面と反対側の他の側面に形成された第二穴に挿入される第二突起を有する第二取付部と、
前記第一取付部及び前記第二取付部とは別に設けられ、前記第一取付部の側から前記第二取付部の側へ前記実装部品を付勢する付勢部と、
を有する取付部材。
（付記３１）
前記取付部材は、前記第一取付部を一対有し、
前記付勢部は、前記一対の第一取付部の間に設けられている、
付記３０に記載の取付部材。
（付記３２）
前記付勢部は、前記一対の第一取付部が並ぶ方向を長さ方向とする板バネである、
付記３１に記載の取付部材。
（付記３３）
前記板バネは、前記一対の第一取付部のうち一方の第一取付部側に位置する端部が固定端とされ、前記一対の第一取付部のうち他方の第一取付部側に位置する端部が自由端とされている、
付記３２に記載の取付部材。
（付記３４）
前記板バネの自由端は、前記板バネが自由状態にあるときに前記第一取付部よりも前記第二取付部の側に位置される、
付記３３に記載の取付部材。
（付記３５）
前記板バネの長さ方向の長さは、前記第一取付部の高さ方向の長さ及び前記第二取付部の高さ方向の長さよりも長い、
付記３０〜付記３４のいずれか一項に記載の取付部材。
（付記３６）
前記第一取付部及び前記第二取付部は、前記実装部品の両側の側方に位置し、
前記実装部品が前記第一取付部の側にスライドされて前記一の側面が前記第一取付部に当接された状態における前記付勢部の変形状態は、弾性変形である、
付記３０〜付記３５のいずれか一項に記載の取付部材。
（付記３７）
前記取付部材は、前記実装部品の底面と対向し、前記第一取付部及び前記第二取付部が立設された本体部を有し、
前記第一取付部及び前記第二取付部が前記本体部から鉛直方向上側に向けて立設する状態で前記実装部品のコネクタが位置する側を手前側として前記取付部材を見た場合に、前記付勢部は、前記取付部材の左側に位置する、
付記３０〜付記３６のいずれか一項に記載の取付部材。
（付記３８）
前記第一取付部及び前記第二取付部は、前記実装部品の両側の側方に位置し、
前記実装部品が前記第一取付部の側にスライドされて前記一の側面が前記第一取付部に当接された状態では、前記第二突起と前記他の側面との間に隙間が形成される、
付記３０〜付記３７のいずれか一項に記載の取付部材。
（付記３９）
前記付勢部に付勢されることで前記実装部品が前記第二取付部の側にスライドされた状態では、前記第一突起が前記第一穴に挿入された状態に維持される、
付記３０〜付記３８のいずれか一項に記載の取付部材。
（付記４０）
前記第一突起の突出長さは、前記実装部品が前記第一取付部の側にスライドされて前記一の側面が前記第一取付部に当接された状態における前記第二取付部と前記他の側面との間の隙間の幅よりも長い、
付記３０〜付記３９のいずれか一項に記載の取付部材。
（付記４１）
前記第一突起は、前記第二突起よりも突出長さが長い、
付記３０〜付記４０のいずれか一項に記載の取付部材。
（付記４２）
前記第一突起は、前記第一穴に遊挿される、
付記３０〜付記４１のいずれか一項に記載の取付部材。
（付記４３）
前記第二突起は、前記第二取付部から張り出すドーム形状である、
付記３０〜付記４２のいずれか一項に記載の取付部材。
（付記４４）
前記第二取付部の高さ方向の上部には、前記第一取付部と反対側に曲折された折曲部が形成されている、
付記３０〜付記４３のいずれか一項に記載の取付部材。
（付記４５）
前記取付部材は、前記実装部品の底面と対向し、前記第一取付部及び前記第二取付部が立設された本体部を有し、
前記本体部には、前記実装部品の底面に形成されたネジ穴と整合する貫通穴が形成され、
前記本体部は、前記貫通穴に挿通されたネジが前記ネジ穴に螺入されることにより前記実装部品と固定される、
付記３０〜付記４４のいずれか一項に記載の取付部材。
（付記４６）
前記本体部には、前記実装部品の側に膨出する複数の膨出部が形成され、
前記第一取付部及び前記第二取付部は、前記複数の膨出部の各々に立設されている、
付記４５に記載の取付部材。
（付記４７）
前記複数の膨出部は、直方体状に形成された前記実装部品における四隅に位置する、
付記４６に記載の取付部材。
（付記４８）
前記貫通穴は、前記複数の膨出部にそれぞれ形成されている、
付記４６又は付記４７に記載の取付部材。
（付記４９）
前記本体部は、前記実装部品における前記一の側面と前記他の側面とを繋ぐ側面と当接される位置決め部を有する、
付記３０〜付記４８のいずれか一項に記載の取付部材。
（付記５０）
前記実装部品、及び、前記実装部品とは外形のサイズが異なる他の実装部品のうちのいずれかが選択的に取り付けられる取付部材であって、
前記他の実装部品の底面と対向し、前記第一取付部及び前記第二取付部が立設された本体部と、
前記本体部から立設し、前記他の実装部品と固定される一対の側壁部と、
を有する、
付記３０〜付記４９のいずれか一項に記載の取付部材。
（付記５１）
前記一対の側壁部は、前記他の実装部品の両側の側方に位置する、
付記５０に記載の取付部材。
（付記５２）
前記取付部材は、前記一対の側壁部から前記他の実装部品の側に突出すると共に、前記第一取付部及び前記第二取付部よりも前記本体部からの高さが高い位置に形成され、前記他の実装部品の底面を支持する支持部を有する、
付記５０又は付記５１に記載の取付部材。
（付記５３）
前記本体部には、前記実装部品の底面に形成されたネジ穴と整合する第一貫通穴が形成され、
前記一対の側壁部には、前記他の実装部品の側面に形成されたネジ穴と整合する第二貫通穴が形成され、
前記一対の側壁部は、前記第二貫通穴に挿通されたネジが前記他の実装部品の前記ネジ穴に螺入されることにより前記他の実装部品と固定される、
付記５０〜付記５２のいずれか一項に記載の取付部材。
（付記５４）
２．５インチの補助記憶装置である前記実装部品が取り付けられる、
付記５０〜付記５３のいずれか一項に記載の取付部材。
（付記５５）
３．５インチの補助記憶装置である前記他の実装部品が取り付けられる、
付記５０〜付記５３のいずれか一項に記載の取付部材。
（付記５６）
電子機器の筐体に取り付けられる、
付記３０〜付記５５のいずれか一項に記載の取付部材。
（付記５７）
パーソナルコンピュータである前記電子機器の筐体に取り付けられる、
付記３０〜付記５６のいずれか一項に記載の取付部材。
【符号の説明】
【００７８】
１０  電子機器
２０  取付部材
３０  本体部
３２，３４  一対の側壁部
３６，３８  膨出部
４０  第一取付部
４２  第二取付部
４４  板バネ（付勢部の一例）
４４Ａ  固定端
４４Ｂ  自由端
４６  位置決め部
４８，５０  第一貫通穴
５２  第一突起
５４  第二突起
５６  折曲部
５８，６０  支持部
６２，６４  第二貫通穴
６６  弾性片
１００  ２．５インチの補助記憶装置
１１０  第一穴
１１２  第二穴
１１４  ネジ穴
１１６  ネジ
１２０  補助記憶装置
１２６，１２８  ネジ穴
１３０  ネジ
【図１】
2015185028.tif 000003
【図２】
2015185028.tif 000004
【図３】
2015185028.tif 000005
【図４】
2015185028.tif 000006
【図５】
2015185028.tif 000007
【図６】
2015185028.tif 000008
【図７】
2015185028.tif 000009
【図８】
2015185028.tif 000010
【図９】
2015185028.tif 000011
【図１０】
2015185028.tif 000012
【図１１】
2015185028.tif 000013
【図１２】
2015185028.tif 000014
【図１３】
2015185028.tif 000015
【図１４】
2015185028.tif 000016